(57)【要約】      （修正有）【課題】コンパクトで、電源コードとその他の収納物の出し入れがしやすい収納ケースを提供する。【解決手段】収納物を上方から収納し該収納物の水平方向の移動を規制する複数の部屋が凹設された下側ケース１と、前記下側ケース１の上方に組合わせることにより前記収容物を許容しながら上方向の移動を規制する上蓋ケース４とを有し、前記下側及び上蓋ケース１,４は各々に設けられた回動部で開閉可能につながれる電動工具の収納ケースにおいて、前記上蓋ケース４に前記収納物を許容できる以上に底を深くして空間を形成し、該空間と前記収納物との間を部分的に仕切る仕切り板５を前記上蓋ケース４に取付け、該仕切り板５は上側及び下側ケースを閉じた状態で前記収納物を許容しながら収納物の上方向への移動を規制する。【選択図】図１
2005028463.tif 000002
【特許請求の範囲】
【請求項１】
収納物を上方から収納し該収納物の水平方向の移動を規制する複数の部屋が凹設された下側ケースと、前記下側ケースの上方に組合わせることにより前記収容物を許容しながら上方向の移動を規制する上蓋ケースとを有し、前記下側及び上蓋ケースは各々に設けられた回動部で開閉可能につながれる電動工具の収納ケースにおいて、前記上蓋ケースに前記収納物を許容できる以上に底を深くして空間を形成し、該空間と前記収納物との間を部分的に仕切る仕切り板を前記上蓋ケースに取付け、該仕切り板は上側及び下側ケースを閉じた状態で前記収納物を許容しながら収納物の上方向への移動を規制することを特徴とする電動工具の収納ケース。
【請求項２】
前記仕切り板は、前記回動部側を仕切り、反対側には開口部が形成されることを特徴とする請求項１記載の電動工具の収納ケース。
【請求項３】
前記仕切り板の面積は、該仕切り板が設けられる面における前記上蓋ケースの面積の１／４〜３／４の大きさを有することを特徴とする請求項２記載の電動工具の収納ケース。
【請求項４】
前記仕切り板において、前記開口部に接する部分に切欠きを設けることを特徴とする請求項２記載の電動工具の収納ケース。
【請求項５】
前記仕切り板は、下側及び上蓋ケースを合わせた状態で前記収納物との間にリブを有することを特徴とする前記請求項１記載の電動工具の収納ケース。
【請求項６】
収納物を上方から収納し該収納物の水平方向の移動を規制する複数の部屋が凹設された下側ケースと、前記下側ケースの上に組合わせることにより前記収容物を許容しながら上方向の移動を規制する上蓋ケースとを有し、前記下側及び上蓋ケースは各々に設けられた回動部で開閉可能につながれる電動工具の収納ケースにおいて、前記上蓋ケースに前記収納物を許容できる以上の空間を上方向に設け、該空間を全体的に仕切る仕切り板を水平方向に設け、該仕切り板と前記ケース上側は各々に設けられた第２の回動部で開閉可能につながれ、該仕切り板は上側及び下側ケースを閉じた状態で収納物の上方向の移動を規制することを特徴とする電動工具の収納ケース。
【発明の詳細な説明】
【０００１】
【発明の属する技術分野】
本発明は、電動工具を収納するケースに関するものである。
【０００２】
【従来の技術】
近年、電動工具の小形、軽量化が急速に進んできている。蓄電池を用いたコ−ドレス工具においても、その進化は目覚しいものがあり、コードがなく非常に使い勝手が良いということで、急速に市場に普及している。コードレス工具は使い勝手が良い反面、作業中に蓄電池の容量がなくなる問題があり、連続作業においては予備の電池と頻繁に交換しなければならなかった。この問題に対して、電池がなくてもコードレス工具に直流電源を供給して動作させることができる機能を併せ持った充電器が開発された。ＡＣコンセントに接続されて、充電の機能と直流電源の機能を併せ持った充電器と、コードレス工具とを電源コードで繋ぐことにより、コードレス工具に直流の電力を供給するものである。電源コードは、一端には充電器に接続されるプラグを有し、逆の一端には電池と同形状でありコードレス工具に電池と同じように取付けられるアダプタを有する。ここで、広い範囲で作業できるように電源コードの長さは約１０ｍとする必要があり、その長さ故に持ち運び・収納に難がある。一方、工具類の持ち運び・収納には、工具と充電器を一緒に収納することができる収納ケースが最も一般的に用いられている。この収納ケース内に電源コードも一緒に収納できて、まとめて持ち運びできるようにして欲しいとのユーザの要望が強い。
【０００３】
収納ケース内に工具、充電器と合わせて電源コードも収納できるようにした従来の技術を図６、図７を用いて説明する。
【０００４】
図６は、上蓋ケース４と収納スペースを有する下側ケース１とを蝶番により開閉可能に連結した収納ケースであり、下側ケース１に収められる充電器３、工具本体２と横一列になるように電源コード７を収納するためのスペースを設けたものである。電源コード７のスペースの分だけ収納ケースが横方向に非常に大きくなっている。このため、保管時は場所を取り、運搬時は横長な上に重心が偏ることから持ち運びづらく、周りにぶつけやすいという不具合があった。
【０００５】
図７は、図６の例とは収納物の配置が異なる。下側ケース１のスペースを全面的に上下（図面の奥行き方向）に分割する仕切り板５を設け、仕切り板５の上に工具本体２、充電器３を置き、仕切り板５の下に電源コード７を収納するように構成してある。図６の例と比べて、奥行きは大きくなるがかさばるほどではなく、重心の偏りがないから持ち運びやすい。しかし、電源コード７を取出すためには、仕切り板５の上に置いてある工具本体２、充電器３を移動させて、さらに仕切り板５を取り外さなければならず、出し入れにおいては非常に不便であった。
【０００６】
【発明が解決しようとする課題】
従来の収納ケースには、次のような不具合があった。電源コードを収納するスペースを、下側ケースの工具本体の横に設けた場合には、収納ケースが横長で邪魔になり、持ち運びにくかった。また、電源コードを収納するスペースを下側ケースに全面的に仕切り板を設け、仕切り板の上に電動工具本体、充電器、電池を置き、仕切り板の下に電源コードを収納した場合には、仕切り板の上に置いてある電動工具本体、充電器、電池全てを別の場所に移動してから、仕切り板を持ち上げて電源コードを取出さなくてはならず、電源コードの出し入れがしづらく不便なものであった。
【０００７】
本発明の目的は、コンパクトで、電源コードとその他の収納物の出し入れがしやすい収納ケースを提供することにある。
【０００８】
【課題を解決するための手段】
上記目的は、収納物を上方から収納し該収納物の水平方向の移動を規制する複数の部屋が凹設された下側ケースと、前記下側ケースの上方に組合わせることにより前記収容物を許容しながら上方向の移動を規制する上蓋ケースとを有し、前記下側及び上蓋ケースは各々に設けられた回動部で開閉可能につながれる電動工具の収納ケースにおいて、前記上蓋ケースに前記収納物を許容できる以上に底を深くして空間を形成し、該空間と前記収納物との間を部分的に仕切る仕切り板を前記上蓋ケースに取付け、該仕切り板は上側及び下側ケースを閉じた状態で前記収納物を許容しながら収納物の上方向への移動を規制することにより達成される。
【０００９】
上記目的は、前記仕切り板は、前記回動部側を仕切り、反対側には開口部が形成されることにより達成される。
【００１０】
上記目的は、前記仕切り板の面積は、該仕切り板が設けられる面における前記上蓋ケースの面積の１／４〜３／４の大きさを有することにより達成される。
【００１１】
上記目的は、前記仕切り板において、前記開口部に接する部分に切欠きを設けることにより達成される。
【００１２】
上記目的は、前記仕切り板は、下側及び上蓋ケースを合わせた状態で前記収納物との間にリブを有することにより達成される。
【００１３】
上記目的は、収納物を上方から収納し該収納物の水平方向の移動を規制する複数の部屋が凹設された下側ケースと、前記下側ケースの上に組合わせることにより前記収容物を許容しながら上方向の移動を規制する上蓋ケースとを有し、前記下側及び上蓋ケースは各々に設けられた回動部で開閉可能につながれる電動工具の収納ケースにおいて、前記上蓋ケースに前記収納物を許容できる以上の空間を上方向に設け、該空間を全体的に仕切る仕切り板を水平方向に設け、該仕切り板と前記ケース上側は各々に設けられた第２の回動部で開閉可能につながれ、該仕切り板は上側及び下側ケースを閉じた状態で収納物の上方向の移動を規制することにより達成される。
【００１４】
【発明の実施の形態】
本発明による実施例の１つである収納ケースの構造を図１〜図５にて説明する。
【００１５】
図４に本発明による収納ケースの外観を示す。図４のように収納ケースは、運搬時に把持するためのハンドル１１と、収納するための下側ケース１、上蓋ケース４と、これらを回動可能につなぐピン１０を有する。ハンドル１１は下側ケース１１の上方に回動可能に取付けられる。ピン１０は下側ケース１１と上蓋ケース４の下方にそれぞれ設けられた図示せぬピン穴に挿入され、これにより下側ケース１１と上蓋ケース４が開閉可能となっている。
【００１６】
図３は図４を右から見た図である。ハンドル１１の両脇にはラッチ１２が設けられる。ラッチ１２は下側ケース１に取付けられており、上蓋ケース４と係合可能となっている。収納ケースを閉じた状態でラッチ１２を上蓋ケース４に係合させて、開かないようロックすることができる。
【００１７】
図１は、収納ケースを開いた状態で収納物を所定の場所に収めた状態を示す。工具本体２、充電器３は下側ケース１に収納される。下側ケース１は樹脂製で、射出成形による成形品である。下側ケース１の外枠は肉厚が３ｍｍ〜３．５ｍｍ程度で、内側には複数の部屋を形成するようにリブが凸設される。部屋の形状・大きさは、収納物との間に隙間ができる程度の形状・大きさであり、収納物が動き回らないように規制している。
【００１８】
電源コード７は上蓋ケース４に収納される。上蓋ケース４は樹脂製で、射出成形による成形品であり、外枠の肉厚が３ｍｍ〜３．５ｍｍ程度で、内周には図示せぬねじボスが複数設けられている。そのねじボスを介して、上蓋ケース４には仕切り板５がねじ６により取付けられる。
【００１９】
仕切り板５は樹脂製で、射出成形による成形品であり、肉厚が３ｍｍ〜３．５ｍｍ程度で、板形状で、横幅は上蓋ケース４と同じ位で、縦幅は上蓋ケース４の約２／３の大きさである。仕切り板は切欠き１３を有し、図１の手前側の面には複数のリブが凸設される。仕切り板５が取付けられる位置は図１にように、切欠き１３を上にして仕切り板５と上蓋ケース４とで開口部９が形成されるようにする。また、図２は図１を右から見た部分断面図であるが、仕切り板５は上蓋ケース４と仕切り板５との間に空間８が形成されるように取付けられる。空間８内に電源コード７が入るよう、上蓋ケース４と仕切り板５との間には相応の距離を開けるようにする。これにより、電源コード７を開口部９から入れて、空間８の中に収納することができる。
【００２０】
図１に戻って、仕切り板５の手前側の面には、工具本体２と充電器３が収納される位置に対応するするように、工具本体２と充電器３の移動を規制する複数のリブが凸設されてる。リブの高さは、収納ケースを閉めたときに収納物との間に隙間が生ずる程度である。これにより工具本体２や充電器３が中で暴れるのを防止できる。
【００２１】
電源コード７を収納するときは、まず電源コード７が収納ケースに入る程度の長さまで折って束ねる。このとき、束の状態で紐などで縛っておくと、ばらけにくく扱いやすくなる。収納ケースを、ラッチ１２が手前にきて上蓋ケース４が上になるように置いて、ラッチ１２のロックを解除して、上蓋ケース４を上方に開ければ、開口部９から空間８内に電源コード７を収納できるようになる。開口部９が上方に位置するから、電源コードは重力で自動的に空間８内に移動する。さらに、仕切り板５には切欠き１３が設けられているため、そこから手で電源コード７を奥方向へ押え付けることにより、電源コード７が空間８からはみ出ないように入れやすい。一方で、工具本体２と充電器３も所定の部屋に収める。収める順番は自由にできる。その後上蓋ケース４を閉じ、ラッチ１２でロックする。
【００２２】
収納ケースの運搬時においては、収納ケースの大きさが従来のものより厚みは増すものの、横長にはならず、重心も偏らないないため、取り回しがよく周りにぶつけにくい。また、ハンドル１１を把持して運ぶことが多く、開口部９がハンドル１１側にあるから、重力により電源コード７は開口部９からはみ出てくることがない。
【００２３】
電源コード７を取出すときは、収納するときと同様に収納ケースを置いて、ラッチ１２を解除し、上蓋ケース４を開ければ、開口部５から電源コード７を取出すことができる。工具本体２や充電器３も自由に取出せる。また切欠き１３によって、手を入れやすくなっており、電源コード７を束の状態で掴むことができ、ばらけることなくスムーズに取出せる。なお切欠き１３には、電源コード７が収納されているかどうかを正面から見ることができ、覗き込んだり手で探ったりしなくてもよいという効果もある。また、仕切り板５は板形状のためたわみやすく、仕切り板５の背面には空間８があることにより、仕切り板５は適当な柔軟性を持つ。これにより、仕切り板５に設けられたリブが収納物の動きを規制するときには、適当にたわんでクッションの効果をもたらし、工具本体２や充電器３とリブとが強く衝突することを防げる。例えば工具本体２は、樹脂製の外郭２ａと、滑り止めの目的で外郭２ａと一体に成形されるエラストマ２ｂを有するが、エラストマ２ｂはゴムのように柔らかくて傷つきやすい。前記のクッションの効果により、エラストマ２ｂに傷がつきにくい。
【００２４】
上記の例では、仕切り板５の固定にねじ６を用いたが、仕切り板５と上蓋ケース４に各々嵌合する凹凸部を設けてはめ合う構成とすると、部品点数を少なくすることができ、コストを低減できる。また、上蓋ケース４と下側ケース１の関係を逆にし、すなわち仕切り板５を下側ケース１に取付ける構成も考えられる。また、仕切り板５の縦幅を上蓋ケース４の約２／３としたが、この比率は収納物の大きさと出し入れのしやすさを勘案して適宜決めるのが良い。空間８に収納物を安定して収めるためには上蓋ケース４の縦幅を収納物より大きくするのがよいし、一方で収納物を入れやすくするためには上蓋ケース４の縦幅は収納物よりあまり大きくしない方がよい。
【００２５】
また、図５に本発明の別の実施例を示す。先の実施例との大きな違いは、仕切り板５の縦幅を上蓋ケース４とほぼ同じにして、仕切り板５と上蓋ケース４にピン穴１４を設け、ピンを挿入することにより仕切り板５を回動可能にしたことである。電源コード７の収納スペースは上蓋ケース４内の全域にわたっているため、より大きな収納物にも対応できる。
【００２６】
【発明の効果】
請求項１に記載の構成により、上蓋ケースの部分的に仕切られた空間内に電源コードを収納することができる。収納・取出しは部分的に仕切られていないところを通じて行う。電源コードと他の収納物が混じることがない。よって、コンパクトで、電源コードとその他の収納物の出し入れがしやすい収納ケースを提供できる。
【００２７】
請求項２に記載の構成により、上蓋ケースを開けたときに開口部が上方に位置するため収納しやすい。また、ハンドルは通常は回動部の反対側に設けられることから、運搬時に開口部が上方に位置し、電源コードがはみ出てこない。
【００２８】
請求項３に記載の構成により、電源コードが適度に収納・取出ししやすく、適度にはみでにくくできる。
【００２９】
請求項４に記載の構成により、電源コードの収納の際には手ではみ出ないように入れやすくなるし、取出しの際には空間内に手を入れやすくなっており、電源コード７を束の状態で掴むことができ、ばらけることなくスムーズに取出せる。また、電源コード７が収納されているかどうかを正面から見ることができ、覗き込んだり手で探ったりしなくてもよいという効果もある。
【００３０】
請求項５に記載の構成により、仕切り板はクッション効果を持ち、さらにリブにより電源コード以外の収納物が上下方向に暴れることを防ぐことができるので、収納物に傷が付きにくい。
【００３１】
請求項６に記載の構成により、上蓋ケースの全体的に仕切られた空間内に電源コードを収納することができる。収納・取出しは仕切り板を開けて行うのでより長い電源コードでも収納でき、電源コードと他の収納物が混じることがなく、使い勝手も良い。よって、コンパクトで、電源コードとその他の収納物の出し入れがしやすい収納ケースを提供できる。
【図面の簡単な説明】
【図１】本発明の一実施例である電動工具の収納ケースの内部構造図
【図２】図１を右から見た部分断面図
【図３】本発明の一実施例である電動工具の収納ケースの外観図
【図４】図４を左から見た外観側面図
【図５】本発明の別の実施例である電動工具の収納ケースの内部構造図
【図６】従来技術による電動工具の収納ケースの内部構造図
【図７】別の従来技術による電動工具の収納ケースの内部構造図
【符号の説明】
１は下側ケース、２は工具本体、２ａは外郭、２ｂはエラストマ、３は充電器、４は上蓋ケース、５は仕切り板、６はねじ、７は電源コード、８は空間、９は開口部、１０はピン、１１はハンドル、１２はラッチ、１３は切欠き、１４はピン穴である。
【図１】
2005028463.tif 000003
【図２】
2005028463.tif 000004
【図３】
2005028463.tif 000005
【図４】
2005028463.tif 000006
【図５】
2005028463.tif 000007
【図６】
2005028463.tif 000008
【図７】
2005028463.tif 000009